(57)【要約】【課題】出力されたカラープルーフが特色を用いて出力したものか、特色をＣ、Ｍ、Ｙ、Ｋに分解して出力したものかを容易に判断することが可能な画像出力装置、画像出力システム及びその画像出力方法を提供する。【解決手段】予め、ＤＣＰ作成装置又はその制御装置にて、特色を含めた各色版に対応する文字情報、即ち、色版ＩＤ情報に関する設定を行う（ステップ１）。そして、画像データの送信があった際には、前記画像データの色版別のラスターデータと、これに対応する前記色版ＩＤ情報のラスターデータとを作成して、さらに、これらを合成することで合成ラスターデータを作成して（ステップ３〜５）、これをＤＣＰ作成装置へ送信する（ステップ６）。ＤＣＰ作成装置では、これを受けて（ステップ７）、感光材料上に前記画像データに基づく画像と前記色版ＩＤ情報に基づく文字情報とを描画し、これを出力する（ステップ９）。【選択図】　　　図２２
2004005033.tif 000002
【特許請求の範囲】
【請求項１】
記録媒体上に基本色版及び特色版を描画可能な画像出力装置と、前記画像出力装置の出力制御を行う制御装置とを含み構成される画像出力システムにおいて、
前記画像出力装置及び前記制御装置の何れかにおいて、入力される画像データを基に前記記録媒体上への特色版の描画の要否を判断する描画要否判断手段と、前記特色版を含めた各色版に対応する固有のＩＤ情報を保存する保存手段と、前記描画要否判断手段の判断内容に基づいて前記画像データの解析を行い、色版別の画像ラスターデータを作成する画像ラスター化手段と、前記色版別の画像ラスターデータの各々に対応するＩＤ情報を前記保存手段から取得し、これをラスター化処理する色版ＩＤ情報ラスター化手段と、前記画像ラスター化手段による画像ラスターデータと前記色版ＩＤ情報ラスター化手段による色版ＩＤ情報ラスターデータとを合成するラスターデータ合成手段と、前記ラスターデータ合成手段によるラスターデータを出力する出力手段とを設けたことを特徴とする画像出力システム。
【請求項２】
前記ＩＤ情報は、予め登録された所定の文字情報であることを特徴とする請求項１記載の画像出力システム。
【請求項３】
前記ＩＤ情報として、任意の文字情報を入力することが可能、若しくは、所定の文字情報を選択することが可能な色版ＩＤ情報登録手段を更に有することを特徴とする請求項１又は請求項２に記載の画像出力システム。
【請求項４】
前記ＩＤ情報として、前記入力される画像データ内に含まれる文字情報を流用することが可能な色版ＩＤ情報登録手段を更に有することを特徴とする請求項１乃至請求項３の何れか一項に記載の画像出力システム。
【請求項５】
前記ＩＤ情報として、予め登録された所定の文字情報、及び／又は、当該手段において入力する任意の文字情報、若しくは、選択する所定の文字情報、及び／又は、当該手段において流用する前記入力される画像データ内に含まれる文字情報の何れかを用いることが可能な色版ＩＤ情報登録手段を更に有することを特徴とする請求項１乃至請求項５の何れか一項に記載の画像出力システム。
【請求項６】
前記ＩＤ情報は、前記特色版を含めた各色版に対応する文字情報、若しくは、前記特色版のみに対応する文字情報であることを特徴とする請求項１乃至請求項５の何れか一項に記載の画像出力システム。
【請求項７】
前記文字情報は、色版名称又はメッセージであることを特徴とする請求項１乃至請求項６の何れか一項に記載の画像出力システム。
【請求項８】
記録媒体上に基本色版及び特色版を描画可能な画像出力装置において、
当該装置に入力される画像データを基に、前記記録媒体上への特色版の描画の要否を判断する描画要否判断手段と、前記特色版を含めた各色版に対応する固有のＩＤ情報を保存する保存手段と、前記描画要否判断手段の判断内容に基づいて前記画像データの解析を行い、色版別の画像ラスターデータを作成する画像ラスター化手段と、前記色版別の画像ラスターデータの各々に対応するＩＤ情報を前記保存手段から取得し、これをラスター化処理する色版ＩＤ情報ラスター化手段と、前記画像ラスター化手段による画像ラスターデータと前記色版ＩＤ情報ラスター化手段による色版ＩＤ情報ラスターデータとを合成するラスターデータ合成手段と、前記ラスターデータ合成手段によるラスターデータを出力する出力手段とを設けたことを特徴とする画像出力装置。
【請求項９】
前記ＩＤ情報は、予め登録された所定の文字情報であることを特徴とする請求項８記載の画像出力装置。
【請求項１０】
前記ＩＤ情報として、任意の文字情報を入力することが可能、若しくは、所定の文字情報を選択することが可能な色版ＩＤ情報登録手段を更に有することを特徴とする請求項８又は請求項９に記載の画像出力装置。
【請求項１１】
前記ＩＤ情報として、前記入力される画像データ内に含まれる文字情報を流用することが可能な色版ＩＤ情報登録手段を更に有することを特徴とする請求項８乃至請求項１０の何れか一項に記載の画像出力装置。
【請求項１２】
前記ＩＤ情報として、予め登録された所定の文字情報、及び／又は、当該手段において入力する任意の文字情報、若しくは、選択する所定の文字情報、及び／又は、当該手段において流用する前記入力される画像データ内に含まれる文字情報の何れかを選択して用いることが可能な色版ＩＤ情報登録手段を更に有することを特徴とする請求項８乃至請求項１１の何れか一項に記載の画像出力装置。
【請求項１３】
前記ＩＤ情報は、前記特色版を含めた各色版に対応する文字情報、若しくは、前記特色版のみに対応する文字情報であることを特徴とする請求項８乃至請求項１２の何れか一項に記載の画像出力装置。
【請求項１４】
前記文字情報は、色版名称又はメッセージであることを特徴とする請求項８乃至請求項１３の何れか一項に記載の画像出力装置。
【請求項１５】
記録媒体上に基本色版及び特色版を描画可能な画像出力装置と、前記画像出力装置の出力制御を行う制御装置とを含み構成される画像出力システムにおいて、前記画像出力装置により出力された記録媒体が、特色を用いて出力されたものか否かを容易に判断することを可能にする画像出力方法であって、
前記画像出力装置及び前記制御装置の何れかにおいて、
画像データを構成する特色を含む各色版に対して、予め、そのＩＤ情報を設定するステップと、入力された画像データに対して前記記録媒体上への特色版の描画の要否を判断するステップと、前記特色版の描画の要否に関する判断内容に基づいて前記画像データの解析を行い、その色版別の画像ラスターデータを作成するステップと、前記色版別の画像ラスターデータに対応する前記ＩＤ情報をラスター化処理してＩＤ情報ラスターデータを作成するステップと、前記色版別の画像ラスターデータと前記ＩＤ情報ラスターデータとを合成して合成ラスターデータを作成するステップと、前記合成ラスターデータに基づいて、所定の画像と前記ＩＤ情報を前記記録媒体上に描画して、これを出力するステップとを含み構成されることを特徴とする画像出力方法。
【請求項１６】
記録媒体上に基本色版及び特色版を描画可能な画像出力装置において、前記画像出力装置により出力された記録媒体が、特色を用いて出力されたものか否かを容易に判断することを可能にする画像出力方法であって、
前記画像出力装置において、
画像データを構成する特色を含む各色版に対して、予め、そのＩＤ情報を設定するステップと、入力された画像データに対して前記記録媒体上への特色版の描画の要否を判断するステップと、前記特色版の描画の要否に関する判断内容に基づいて前記画像データの解析を行い、その色版別の画像ラスターデータを作成するステップと、前記色版別の画像ラスターデータに対応する前記ＩＤ情報をラスター化処理してＩＤ情報ラスターデータを作成するステップと、前記色版別の画像ラスターデータと前記ＩＤ情報ラスターデータとを合成して合成ラスターデータを作成するステップと、前記合成ラスターデータに基づいて、所定の画像と前記ＩＤ情報を前記記録媒体上に描画して、これを出力するステップとを含み構成されることを特徴とする画像出力方法。
【請求項１７】
前記ＩＤ情報として、予め所定の文字情報を登録することを特徴とする請求項１５又は請求項１６に記載の画像出力方法。
【請求項１８】
前記ＩＤ情報として、任意の文字情報を入力する、若しくは、所定の文字情報を選択することを特徴とする請求項１５乃至請求項１７の何れか一項に記載の画像出力方法。
【請求項１９】
前記ＩＤ情報として、前記入力された画像データ内に含まれる文字情報を流用することを特徴とする請求項１５乃至請求項１８の何れか一項に記載の画像出力方法。
【請求項２０】
前記ＩＤ情報として、予め所定の文字情報を登録する、及び／又は、任意の文字情報を入力する、若しくは、所定の文字情報を選択する、及び／又は、前記入力された画像データ内に含まれる文字情報を流用するの何れかの手法を選択することを特徴とする請求項１５乃至請求項１９の何れか一項に記載の画像出力方法。
【請求項２１】
前記ＩＤ情報は、前記特色版を含めた各色版に対応する文字情報、若しくは、前記特色版のみに対応する文字情報であることを特徴とする請求項１５乃至請求項２０の何れか一項に記載の画像出力方法。
【請求項２２】
前記文字情報は、色版名称又はメッセージであることを特徴とする請求項１５乃至請求項２１に記載の画像出力方法。
【発明の詳細な説明】
【０００１】
【発明の属する技術分野】
本発明は、画像出力装置、若しくは、その出力制御を行う制御装置との組み合わせにより構成される画像出力システム及びその画像出力方法に関し、特に、印刷・製版業の色校正において使用される特色の出力が可能なＤＣＰ（Ｄｉｇｉｔａｌ・Ｃｏｌｏｒ・Ｐｒｏｏｆ）作成装置、若しくは、その制御装置とから構成される画像出力システム及びその画像出力方法に関するものである。
【０００２】
【従来の技術】
従来より、印刷・製版業の色校正において使用されるＤＣＰ作成装置においては、カラープルーフをＣ（シアン）、Ｍ（マゼンタ）、Ｙ（イエロー）、Ｋ（ブラック）の４色出力によって作成することが通常となっている。しかしながら、近年においては、特色をそのまま出力することが可能なＤＣＰ作成装置が発明されるに至っている。
【０００３】
このような状況に伴い、画像データ編集装置にて編集され、当該ＤＣＰ作成装置に入力される画像データにおいては、特色を含んで構成されるものが増加する傾向にある。しかしながら、実際には、前述のようなＤＣＰ作成装置においても、膨大な種類の特色を例外なく出力するということは困難であるため、出力可能な特色の数や種類が限定されている現状がある。
【０００４】
そこで、前述のようなＤＣＰ作成装置、若しくは、その制御装置の中には、画像データ内に、ＤＣＰ作成装置によって出力することができない特色が含まれている場合には、その特色をＣ、Ｍ、Ｙ、Ｋの４色に分解して出力することを可能としたものが存在している。
【０００５】
【発明が解決しようとする課題】
ところが、このようなＤＣＰ作成装置においては、出力されたカラープルーフが特色を用いて出力されたものか、特色をＣ、Ｍ、Ｙ、Ｋの４色に分解して出力されたものかをカラープルーフ自体からは判断することができないという新たな不便が生じた。
【０００６】
このようにして、カラープルーフを、特色を用いて出力したものと特色をＣＭＹＫに分解して出力したものとを間違えて取り扱ってしまうと、これらの間には微妙な色調の違いがあるため、後の工程において障害が発生してしまうことになる。
【０００７】
本発明は、上記課題を鑑みてなされたものであり、その目的とするところは、カラープルーフを出力する際に、その出力面上に、当該カラープルーフを構成する色版に関する情報を付加描画することで、そのカラープルーフが特色を用いて出力したものか、特色をＣＭＹＫに分解して出力したものかを容易に判断することを可能とする画像出力装置、若しくは、その制御装置を含み構成される画像出力システム及びその画像出力方法を提供することにある。
【０００８】
【課題を解決するための手段】
上記課題を解決するために、請求項１記載の発明は、記録媒体上に基本色版及び特色版を描画可能な画像出力装置と、前記画像出力装置の出力制御を行う制御装置とを含み構成される画像出力システムにおいて、前記画像出力装置及び前記制御装置の何れかにおいて、入力される画像データを基に前記記録媒体上への特色版の描画の要否を判断する描画要否判断手段と、前記特色版を含めた各色版に対応する固有のＩＤ情報を保存する保存手段と、前記描画要否判断手段の判断内容に基づいて前記画像データの解析を行い、色版別の画像ラスターデータを作成する画像ラスター化手段と、前記色版別の画像ラスターデータの各々に対応するＩＤ情報を前記保存手段から取得し、これをラスター化処理する色版ＩＤ情報ラスター化手段と、前記画像ラスター化手段による画像ラスターデータと前記色版ＩＤ情報ラスター化手段による色版ＩＤ情報ラスターデータとを合成するラスターデータ合成手段と、前記ラスターデータ合成手段によるラスターデータを出力する出力手段とを設けたことを特徴とする。
【０００９】
上記課題を解決するために、請求項８記載の発明は、記録媒体上に基本色版及び特色版を描画可能な画像出力装置において、当該装置に入力される画像データを基に、前記記録媒体上への特色版の描画の要否を判断する描画要否判断手段と、前記特色版を含めた各色版に対応する固有のＩＤ情報を保存する保存手段と、前記描画要否判断手段の判断内容に基づいて前記画像データの解析を行い、色版別の画像ラスターデータを作成する画像ラスター化手段と、前記色版別の画像ラスターデータの各々に対応するＩＤ情報を前記保存手段から取得し、これをラスター化処理する色版ＩＤ情報ラスター化手段と、前記画像ラスター化手段による画像ラスターデータと前記色版ＩＤ情報ラスター化手段による色版ＩＤ情報ラスターデータとを合成するラスターデータ合成手段と、前記ラスターデータ合成手段によるラスターデータを出力する出力手段とを設けたことを特徴とする。
【００１０】
上記課題を解決するために、請求項１５記載の発明は、記録媒体上に基本色版及び特色版を描画可能な画像出力装置と、前記画像出力装置の出力制御を行う制御装置とを含み構成される画像出力システムにおいて、前記画像出力装置により出力された記録媒体が、特色を用いて出力されたものか否かを容易に判断することを可能にする画像出力方法であって、前記画像出力装置及び前記制御装置の何れかにおいて、画像データを構成する特色を含む各色版に対して、予め、そのＩＤ情報を設定するステップと、入力された画像データに対して前記記録媒体上への特色版の描画の要否を判断するステップと、前記特色版の描画の要否に関する判断内容に基づいて前記画像データの解析を行い、その色版別の画像ラスターデータを作成するステップと、前記色版別の画像ラスターデータに対応する前記ＩＤ情報をラスター化処理してＩＤ情報ラスターデータを作成するステップと、前記色版別の画像ラスターデータと前記ＩＤ情報ラスターデータとを合成して合成ラスターデータを作成するステップと、前記合成ラスターデータに基づいて、所定の画像と前記ＩＤ情報を前記記録媒体上に描画して、これを出力するステップとを含み構成されることを特徴とする。
【００１１】
上記課題を解決するために、請求項１６記載の発明は、記録媒体上に基本色版及び特色版を描画可能な画像出力装置において、前記画像出力装置により出力された記録媒体が、特色を用いて出力されたものか否かを容易に判断することを可能にする画像出力方法であって、前記画像出力装置において、画像データを構成する特色を含む各色版に対して、予め、そのＩＤ情報を設定するステップと、入力された画像データに対して前記記録媒体上への特色版の描画の要否を判断するステップと、前記特色版の描画の要否に関する判断内容に基づいて前記画像データの解析を行い、その色版別の画像ラスターデータを作成するステップと、前記色版別の画像ラスターデータに対応する前記ＩＤ情報をラスター化処理してＩＤ情報ラスターデータを作成するステップと、前記色版別の画像ラスターデータと前記ＩＤ情報ラスターデータとを合成して合成ラスターデータを作成するステップと、前記合成ラスターデータに基づいて、所定の画像と前記ＩＤ情報を前記記録媒体上に描画して、これを出力するステップとを含み構成されることを特徴とする。
【００１２】
【発明の実施の形態】
以下、本発明に係る画像出力システム及び画像出力装置の一実施形態について、図面を参照しながら詳細に説明する。
【００１３】
［画像出力システムの構成］
まず、本発明に係る画像出力システムの一実施形態におけるシステム構成及び概略動作について説明する。
【００１４】
（システム構成）
図１に示すように、本実施形態における画像出力システムは、上流端末、即ち、画像データ編集端末３やＲＩＰ（Ｒａｓｔｅｒ・Ｉｍａｇｅ・Ｐｒｏｃｅｓｓｏｒ）４から送信された画像データに所定の加工処理を行った後、これをＤＣＰ作成装置２に送信する制御装置１と、この制御装置１から送信された画像データを出力するＤＣＰ作成装置２とから構成されている。尚、制御装置２及び画像データ編集端末３は、各々、コンピュータターミナル（端末装置）として動作するものであって、制御装置２は、コンピュータ本体、キーボード、表示部等を備え、所定の動作プログラムが組み込まれている。また、画像データ編集端末３は、コンピュータ本体、キーボード、表示部、イメージスキャナ等の必要な画像入力機器を備えている。さらに、これらはネットワークＮを介して制御装置１に接続されている。
【００１５】
（概略動作）
このような構成において、制御装置１は、画像データ編集端末３やＲＩＰ４から送信された画像データを予め設定された出力条件に従って解析加工した後、これをＤＣＰ作成装置２に送信する。因みに、画像データの種別には、主としてＰＳ、ＰＤＦ、ＥＰＳ等のページ記述言語と、ＴＩＦＦ、ＴＩＦＦ／ＩＴ、ＪＰＥＧ等の汎用フォーマットとがある。また、前記出力条件は、制御装置１において画像データ自体を加工して反映させる方法の他にも、出力条件を別途通知しておき、ＤＣＰ作成装置２においてその設定を反映させる方法がある。一方、画像データの送信先であるＤＣＰ作成装置２は、制御装置１から送信された画像データを出力する。
【００１６】
次に、当該画像出力システムを構成する制御装置１及びＤＣＰ作成装置２の詳細構成及び詳細動作について説明する。
【００１７】
（制御装置の詳細構成）
図２に示すように、制御装置１は、画像データ編集端末３やＲＩＰ４から送信された画像データが特色版を要するものか否か、即ち、その画像データが特色を用いて出力するものか、或いは、特色をＣＭＹＫに分解して出力するものかを判定する特色版要否判定部１０と、特色版を含めた各色版に対応する色版ＩＤ情報の設定を行う色版ＩＤ情報設定部１１と、この色版ＩＤ情報設定部１１にて設定された各色版に対応する固有のＩＤ情報を保存する色版ＩＤ情報保存部１２と、画像データ編集端末３やＲＩＰ４から送信された画像データを前記特色版要否判断部１０の判定内容に従って解析加工し、色版別の画像ラスターデータを作成する画像ラスター化部１３と、この画像ラスター化部１３において作成される色版別の画像ラスターデータの各々に対応するＩＤ情報を前記色版ＩＤ情報保存部１２から取得し、これをラスター化処理する色版ＩＤ情報ラスター化部１４と、前記画像ラスター化部１３による画像ラスターデータとこの色版ＩＤ情報ラスター化部１４による色版ＩＤ情報ラスターデータとを合成するラスターデータ合成部１５と、このラスターデータ合成部１５において合成された合成ラスターデータ（画像ラスターデータ及び色版ＩＤ情報ラスターデータを合成したもの）をＤＣＰ作成装置２に送信するＤＣＰ作成装置制御部１６とから構成されている。
【００１８】
（詳細動作）
このような構成において、操作者は、制御装置１の色版ＩＤ情報設定部１１にて、画像データの出力を開始する前の準備として、特色版を含めた各色版に対応する色版ＩＤ情報の設定を行う。
【００１９】
図３に、この制御装置１の色版ＩＤ情報設定部１１における色版ＩＤ情報の設定の際の設定画面の流れを説明する画面表示構成図を示す。尚、此処に言う色版ＩＤ情報設定部１１とは、キーボードやマウス等の一般的な入力手段のことを指している。同図に示すように、制御装置１の表示部には、通常、同図に示すようなプリンタコントローラメイン画面１Ａが表示されている。当該プリンタコントローラメイン画面１Ａは、各ジョブの名称・出力設定・ステータス等を表示するべくジョブステータス表示部１Ａａと、各フォルダに対応する出力設定名称のリストを表示する出力設定リスト表示部１Ａｂとから構成されている。操作者は、まず、キーボード等の操作により、このプリンタコントローラメイン画面１Ａにおいて、出力設定リスト表示部１ＡｂからＦｏｌｄｅｒ１や○×食品用等の出力設定名称を選択することで、同図に示す出力設定画面１Ｂを表示させる。当該出力設定画面１Ｂは、その出力設定を対応させるフォルダや、その出力設定の具体的項目である画像データフォーマット・出力解像度・網点形式等の設定を行う出力設定項目表示部１Ｂａと、後述するプリンタ設定画面１Ｃや色分解設定画面１Ｄを表示させる他画面表示部１Ｂｂとから構成されている。操作者は、さらに、キーボード等の操作により、この出力設定画面１Ｂにおいて、他画面表示部１Ｂｂの色分解設定項目を選択することで、同図に示す色分解設定画面１Ｄを表示させる。因みに、他画面表示部１Ｂｂにおいてプリンタ設定項目を選択すると、同図に示すプリンタ設定画面１Ｃが表示され、当該プリンタ設定画面１Ｃにおいて、出力プリンタの設定、出力するカートリッジの設定、校正データの設定等を行うことが可能になっている。操作者は、この色分解設定画面１Ｄにおいて、色版ＩＤ情報を出力する色版の設定、及び、これら各色版に対応して描画する色版ＩＤ情報の設定を行う。
【００２０】
以下、この色分解設定画面１Ｄの様々な構成例について説明する。図４乃至図１２、図１４乃至図１７に示すように、色分解設定画面１Ｄは、主に、シアン、マゼンタ、イエロー、ブラック、特色１、特色２等の色版ＩＤ情報を出力する色版を選択する色版選択部１Ｄａと、これら色版の各々に対応して描画する色版ＩＤ情報を入力する色版ＩＤ情報入力部１Ｄｂと、当該色分解設定画面１Ｄの表示内容を確定／キャンセルする表示内容確定／取消し部１Ｄｃとから構成されている。
【００２１】
構成例１）
例えば、図４に示すように、当該色分解設定画面１Ｄにおいては、色版ＩＤ情報入力部１Ｄｂにおいて、色版ＩＤ情報として、任意の文字情報を入力することが可能に構成されている。操作者は、キーボード等の操作により、例えば、色版選択部１Ｄａにおいて、シアン、マゼンタ、イエロー、ブラックを選択して、色版ＩＤ情報入力部１Ｄｂにおいて、“特色はＣＭＹＫに分解しています。”等の文字情報を入力する。
【００２２】
構成例２）
例えば、図５に示すように、当該色分解設定画面１Ｄにおいては、色版ＩＤ情報入力部１Ｄｂにおいて、色版ＩＤ情報として、所定の文字情報を選択することが可能に構成されている。操作者は、キーボード等の操作により、例えば、色版選択部１Ｄａにおいて、シアン、マゼンタ、イエロー、ブラック、特色１、特色２を選択して、色版ＩＤ情報入力部１Ｄｂにおいて、“プロセスカラーを描画しました。”、“プロセスカラーだけで描画しました。”、“特色版を描画しました。”、“ＣＭＹＫと特色版で描画しました。”等の文字情報の中から所望のものを選択する。
【００２３】
構成例３）
例えば、図６に示すように、当該色分解設定画面１Ｄにおいては、色版ＩＤ情報の描画範囲を節約するために、色版選択部１Ｄａにおいて、特色１、特色２に関してのみ選択可能に、さらに、色版ＩＤ情報入力部１Ｄｂにおいて、色版ＩＤ情報として、任意の文字情報を入力することが可能に構成されている。操作者は、キーボード等の操作により、例えば、色版選択部１Ｄａにおいて、特色１、特色２を選択して、色版ＩＤ情報入力部１Ｄｂにおいて、“特色版を描画しました。”等の文字情報を入力する。
【００２４】
構成例４）
例えば、図７に示すように、当該色分解設定画面１Ｄにおいては、色版ＩＤ情報の描画範囲を節約するために、色版選択部１Ｄａにおいて、特色１、特色２に関してのみ選択可能に、さらに、色版ＩＤ情報入力部１Ｄｂにおいて、色版ＩＤ情報として、所定の文字情報を選択することが可能に構成されている。操作者は、キーボード等の操作により、例えば、色版選択部１Ｄａにおいて、特色１、特色２を選択して、色版ＩＤ情報入力部１Ｄｂにおいて、“プロセスカラーだけで描画しました。”、“特色版を描画しました。”、“ＣＭＹＫと特色版で描画しました。”等の文字情報の中から所望のものを選択する。
【００２５】
構成例５）
例えば、図８に示すように、当該色分解設定画面１Ｄにおいては、色版ＩＤ情報を入力又は選択する手間を省くために、色版選択部１Ｄａにおいて、色版ＩＤ情報として予め設定された文字情報を、描画する／しないを選択することが可能に構成されている。操作者は、キーボード等の操作により、例えば、色版選択部１Ｄａにおいて、シアン、マゼンタ、イエロー、ブラック、特色１、特色２の各色版に対して、Ｃ、Ｍ、Ｙ、Ｋ、Ｓ１、Ｓ２等の文字情報を描画するか否かを選択する。
【００２６】
構成例６）
例えば、図９に示すように、当該色分解設定画面１Ｄにおいては、色版ＩＤ情報をより分かり易くするために、色版ＩＤ情報入力部１Ｄｂにおいて、色版ＩＤ情報として、各色版に対応する任意の色版名称を入力することが可能に構成されている。操作者は、キーボード等の操作により、例えば、色版選択部１Ｄａにおいて、シアン、マゼンタ、イエロー、ブラックを選択して、色版ＩＤ情報入力部１Ｄｂにおいて、前記各色版に対応する、例えば、Ｃｙａｎ、Ｍａｇｅｎｔａ、Ｙｅｌｌｏｗ、Ｂｌａｃｋ等の色版名称を入力する。
【００２７】
構成例７）
例えば、図１０に示すように、当該色分解設定画面１Ｄにおいては、色版ＩＤ情報をより分かり易くするために、色版ＩＤ情報入力部１Ｄｂにおいて、色版ＩＤ情報として、各色版に対応する色版名称を所定の名称の中から任意に選択することが可能に構成されている。操作者は、キーボード等の操作により、例えば、色版選択部１Ｄａにおいて、シアン、マゼンタ、イエロー、ブラック、特色１、特色２を選択して、色版ＩＤ情報入力部１Ｄｂにおいて、前記色版毎に、例えば、Ｃｙａｎ、Ｃ、シアン、シアン（半角）等の色版名称の中から所望のものを選択する。
【００２８】
構成例８）
例えば、図１１に示すように、当該色分解設定画面１Ｄにおいては、色版ＩＤ情報のカラープルーフ上での描画範囲を節約するために、さらに、色版ＩＤ情報をより分かり易くするために、色版選択部１Ｄａにおいて、特色１、特色２に関してのみ選択可能、さらに、色版ＩＤ情報入力部１Ｄｂにおいて、色版ＩＤ情報として、各色版に対応する任意の色版名称を入力することが可能に構成されている。操作者は、キーボード等の操作により、例えば、色版選択部１Ｄａにおいて、特色１、特色２を選択して、色版ＩＤ情報入力部１Ｄｂにおいて、各々に対応する“Ｓ１”、“Ｓ２”等の色版名称を入力する。因みに、当該色分解設定画面１Ｄにおいては、シアン、マゼンタ、イエロー、ブラックの各々に関しては、それぞれ、Ｃｙａｎ、Ｍａｇｅｎｔａ、Ｙｅｌｌｏｗ、Ｂｌａｃｋといった予め設定された所定の色版名称が描画されることになる。
【００２９】
構成例９）
例えば、図１２に示すように、当該色分解設定画面１Ｄにおいては、色版ＩＤ情報のカラープルーフ上での描画範囲を節約するために、さらに、色版ＩＤ情報をより分かり易くするために、色版選択部１Ｄａにおいて、特色１、特色２に関してのみ選択可能、さらに、色版ＩＤ情報入力部１Ｄｂにおいて、色版ＩＤ情報として、各色版に対応する色版名称を所定の名称の中から任意に選択することが可能に構成されている。操作者は、キーボード等の操作により、例えば、色版選択部１Ｄａにおいて、特色１、特色２を選択して、色版ＩＤ情報入力部１Ｄｂにおいて、前記色版毎に、“Ｓｐｅｃｉａｌ”、“Ｓ１”、“ＳＰＥＣＩＡＬ　０００１　Ｗｈｉｔｅ”、“ＳＰＥＣＩＡＬ　０００２　Ｒｅｄ”、“ＳＰＥＣＩＡＬ　０００３　Ｇｒｅｅｎ”、“ＳＰＥＣＩＡＬ　０００４　Ｂｌｕｅ”、等の色版名称の中から所望のものを選択する。因みに、当該色分解設定画面１Ｄにおいては、シアン、マゼンタ、イエロー、ブラックの各々に関しては、それぞれ、Ｃｙａｎ、Ｍａｇｅｎｔａ、Ｙｅｌｌｏｗ、Ｂｌａｃｋといった予め設定された所定の色版名称が描画されることになる。
【００３０】
ところで、上流端末である画像データ編集端末３から送信される画像データの中には、図１３に示すように、そのアプリケーション上で、各色版に対応して登録された“色版名称に関する情報”を含み構成されるものがある。因みに、同図においては、シアンに関しては“Ｃｙａｎ”、マゼンタに関しては“Ｍａｇｅｎｔａ”、イエローに関しては“Ｙｅｌｌｏｗ”、ブラックに関しては“Ｂｌａｃｋ”という名称が登録されている。このような場合には、以上に説明した色分解設定画面１Ｄにおいて、色版ＩＤ情報の設定を行わなくとも、この“色版名称に関する情報”をそのまま流用して、これを色版ＩＤ情報として描画することも可能となる。具体的には、このような場合、前記“色版名称に関する情報”をそのまま色版ＩＤ情報保存部１２に保存する。
【００３１】
これに伴い、色分解設定画面１Ｄは、以上に説明した形態に加えて、以下のような形態に構成することも可能となる。
【００３２】
構成例１０）
例えば、図１４に示すように、当該色分解設定画面１Ｄにおいては、色版ＩＤ情報を入力する手間を省くために、或いは、任意の色版名称を入力することを可能とするために、色版選択部１Ｄａにおいて、色版ＩＤ情報として、“画像データ内の色版名称を流用する”、又は、“各色版に対応する任意の色版名称を入力する”ことを選択可能に構成されている。操作者は、キーボード等の操作により、例えば、色版選択部１Ｄａにおいて、“画像データ内の色版名称を利用する”を選択して、又は、“マニュアル指定”を選択して、“マニュアル指定”を選択した場合には、さらに、色版毎に、例えば、“Ｃｙａｎ”、“Ｍａｇｅｎｔａ”、“Ｙｅｌｌｏｗ”、“Ｂｌａｃｋ”、“Ｓｐｅｃｉａｌ　００４１　ＷｉｎｅＲｅｄ”、“ＳＰＥＣＩＡＬ　０２８３　Ｄｅｅｐ　Ｂｌｕｅ”等の任意の色版名称を入力する。尚、色版選択部１Ｄａにおいて、“画像データ内の色版名称を利用する”を選択した場合には、シアン、マゼンタ、イエロー、ブラック、特色１、特色２の各色版に対して、画像データ内において予め登録された色版名称、例えば、“Ｃ”、“Ｍ”、“Ｙ”、“Ｋ”、“Ｓ１”、“Ｓ２”といった色版名称が色版ＩＤ情報として描画されることになる。
【００３３】
構成例１１）
例えば、図１５に示すように、当該色分解設定画面１Ｄにおいては、色版ＩＤ情報を入力する手間を省くために、或いは、所定の色版名称の中から任意に色版名称を選択することを可能とするために、色版選択部１Ｄａにおいて、色版ＩＤ情報として、“画像データ内の色版名称を流用する”、又は、“各色版に対応する所定の色版名称を選択する”ことを選択可能に構成されている。操作者は、キーボード等の操作により、例えば、色版選択部１Ｄａにおいて、“画像データ内の色版名称を利用する”を選択して、又は、“マニュアル指定”を選択して、“マニュアル指定”を選択した場合には、さらに、色版毎に、例えば、“Ｃｙａｎ”、“Ｃ”、“シアン”、“シアン（半角）”等の中から任意の色版名称を選択する。尚、色版選択部１Ｄａにおいて、“画像データ内の色版名称を利用する”を選択した場合には、シアン、マゼンタ、イエロー、ブラック、特色１、特色２の各色版に対して、画像データ内において予め登録された色版名称、例えば、“Ｃ”、“Ｍ”、“Ｙ”、“Ｋ”、“Ｓ１”、“Ｓ２”といった色版名称が色版ＩＤ情報として描画されることになる。
【００３４】
さらに、色分解設定画面１Ｄは、以上に説明した形態の他にも、以下のような形態に構成することが可能である。
【００３５】
構成例１２）
例えば、図１６に示すように、当該色分解設定画面１Ｄにおいては、色版ＩＤ情報を入力する手間を省くために、或いは、任意の色版名称を入力することを可能とするために、色版選択部１Ｄａにおいて、色版ＩＤ情報として、“予め設定された色版名称を描画する”、又は、“各色版に対応する任意の色版名称を入力する”ことを選択可能に構成されている。操作者は、キーボード等の操作により、例えば、色版選択部１Ｄａにおいて、“固定値を使用する”を選択する、又は、“マニュアル指定”を選択して、“マニュアル指定”を選択した場合には、さらに、色版毎に、例えば、“Ｃｙａｎ”、“Ｍａｇｅｎｔａ”、“Ｙｅｌｌｏｗ”、“Ｂｌａｃｋ”、“Ｓｐｅｃｉａｌ　００４１　Ｗｉｎｅ　Ｒｅｄ”、“ＳＰＥＣＩＡＬ　０２８３　Ｄｅｅｐ　Ｂｌｕｅ”等の任意の色版名称を入力する。尚、色版選択部１Ｄａにおいて、“固定値を使用する”を選択した場合には、シアン、マゼンタ、イエロー、ブラック、特色１、特色２の各々に対して、予め設定された“Ｃ”、“Ｍ”、“Ｙ”、“Ｋ”、“Ｓ１”、“Ｓ２”といった色版名称が色版ＩＤ情報として描画されることになる。
【００３６】
構成例１３）
例えば、図１７に示すように、当該色分解設定画面１Ｄにおいては、色版ＩＤ情報を入力する手間を省くために、或いは、所定の色版名称を選択することを可能とするために、色版選択部１Ｄａにおいて、色版ＩＤ情報として、“予め設定された色版名称を描画する”、又は、“各色版に対応する所定の色版名称を選択する”ことを選択可能に構成されている。操作者は、キーボード等の操作により、例えば、色版選択部１Ｄａにおいて、“固定値を使用する”を選択する、又は、“マニュアル指定”を選択して、“マニュアル指定”を選択した場合には、さらに、色版毎に、例えば、“Ｃｙａｎ”、“Ｃ”、“シアン”、“シアン（半角）”等の所定の色版名称を選択する。尚、色版選択部１Ｄａにおいて、“固定値を使用する”を選択した場合には、シアン、マゼンタ、イエロー、ブラック、特色１、特色２の各々に対して、予め設定された“Ｃ”、“Ｍ”、“Ｙ”、“Ｋ”、“Ｓ１”、“Ｓ２”といった色版名称が色版ＩＤ情報として描画されることになる。
【００３７】
詳細動作の説明に戻って、操作者は、キーボード等の操作により、この色分解設定画面１Ｄの表示内容確定／取消し部１Ｄｃにおいて、ＯＫ項目を選択することで、その表示内容を確定、即ち、色版ＩＤ情報保存部１２に保存して、これをもって当該特色版を含めた各色版に対応する色版ＩＤ情報の設定を終了する。これにより、制御装置１は、画像データ編集端末３やＲＩＰ４から画像データが送信されるのを待つ待機状態へと移行する。
【００３８】
尚、以上に説明した各画面（プリンタコントローラメイン画面１Ａ、出力設定画面１Ｂ、プリンタ設定画面１Ｃ、色分解設定画面１Ｄ）の形態、及び、カラープルーフ上への色版ＩＤ情報の出力形態は、取捨選択して用いることが可能であると同時に、これらを組み合わせた形態とすることも当然に可能である。
【００３９】
このような事前準備、即ち、色版ＩＤ情報の設定が成された上で、画像データ編集端末３やＲＩＰ４から画像データが送信されると、当該制御装置１の特色版要否判断部１０は、前記出力設定画面１Ｂ及び前記色分解設定画面１Ｄにおける設定内容に従って、その画像データ内に特色が含まれているか否かを判断して、特色が含まれている場合には、さらに、これをそのまま出力するか、Ｃ、Ｍ、Ｙ、Ｋに分解して出力するかを判断して、次に、その判断結果に基づいて、画像ラスター化部１３が画像データを解析加工し、色版別の画像ラスターデータを作成して、同時に、色版ＩＤ情報ラスター化部１４がこの画像ラスター化部１３において作成される色版別の画像ラスターデータの各々に対応するＩＤ情報を前記色版ＩＤ情報保存部１２から取得し、これをラスター化処理して、色版ＩＤ情報ラスターデータを作成して、次に、ラスターデータ合成部１５が、前記画像ラスター化部１３による画像ラスターデータとこの色版ＩＤ情報ラスター化部１４による色版ＩＤ情報ラスターデータとを合成して合成ラスターデータ（画像ラスターデータ及び色版ＩＤ情報ラスターデータを合成したもの）を作成して、次に、ＤＣＰ作成装置制御部１６が、これをＤＣＰ作成装置２へ送信する。
【００４０】
（ＤＣＰ作成装置の詳細構成及び詳細動作）
図１８に示すように、ＤＣＰ作成装置２は、主に、感光材料上に画像を露光するための露光部３３と、露光された感光材料を現像処理するための処理部３４とから構成されている。
【００４１】
露光部３３は、外部に開閉可能な上面パネル３５及び前面パネル３６を有し、当該露光部３３のメンテナンスは、これらのパネルを開いて行う。また、ロールセット部３７は、ロール状に巻回された感光材料を収容したカートリッジを装填する部分であり、装置本体の上部に設けられている。尚、カートリッジの装填は、給紙カバー３９を開閉して行う。因みに、本実施形態のロールセット部３７は、単数であるが、複数設けられても良い。また、ロール状に巻回された感光材料を直接セットできるものであっても良い。尚、カートリッジに収容される感光材料は、通常、感光面を外側にして巻回される。従って、ロール状に巻回された感光材料を直接セットする場合であっても、感光材料の感光面を外側にして巻回されるものを用いることが好ましい。
【００４２】
装置本体の外面、具体的には、ロールセット部３７の手前側には、タッチパネル４２と液晶パネル４１から成る操作部が設けられている。タッチパネル４２は、液晶パネル４１の上面に重ねて設けられている。液晶パネル４１には、後述する制御部１００の制御により、操作者に入力を求める入力指示情報や装置の状態を示す装置状態情報等を表示する。一方、タッチパネル４２は、操作者が各種情報を入力する入力手段であり、操作者は、液晶パネル４１に表示される入力指示画面に応じて各種情報の入力を行う。タッチパネル４２からの入力に応じた各種情報は、後述するＲＡＭ１０２に記憶される。尚、操作部の構成は、これに限られず、例えば、ＬＥＤ等から成る表示手段と入力キー等から成る入力手段により構成しても良い。
【００４３】
処理部３４は、外面に開閉可能な上面パネル４３及び補給パネル４４を有し、通常のメンテナンスは上面パネル４３を開いて行い、処理液の補充等は、補給パネル４４を開いて行う。また、排紙部４５は、現像処理が終了した感光材料をストックする部分である。
【００４４】
図１９に、ＤＣＰ作成装置２の制御構成を示す。同図に示すように、ＤＣＰ作成装置２は、全体の制御を行う制御部１００を有し、この制御部１００は、ＣＰＵ１０１、ＲＡＭ１０２及びＲＯＭ１０３とから構成されている。当該制御部１００は、Ｉ／Ｏポート１０４、１０５を介して、検出系を構成するセンサ類１０６及び駆動系を構成するアクチュエータ群１０７とに接続され、センサ類１０６からの情報に基づいてアクチュエータ群１０７を制御するように構成されている。
【００４５】
また、操作部については、液晶パネル４１をドライバＤ２０により制御し、これにＤＣＰ作成装置の２の運転状態等を表示する。また、タッチパネル４２からの入力に応じた情報は、Ａ／Ｄ変換部１２０によりデジタル情報としてＣＰＵ１０１に送信される構成となっている。
【００４６】
さらに、ＤＣＰ作成装置２は、制御装置１から送信される合成ラスターデータ、即ち、各色（Ｃ、Ｍ、Ｙ、Ｋ、特色１、特色２）に対応する色版ＩＤ情報を含んだラスターイメージフォーマットの網点画像データを受信する画像データＩ／Ｆ部２０１を備えている。画像データＩ／Ｆ部２０１は、各色（Ｃ、Ｍ、Ｙ、Ｋ、特色１、特色２）のラスターイメージフォーマットの網点画像データを、各色１０本の走査線毎（各色１０のチャンネル毎）の露光用フォーマットに変換し、データバッファ２０４に蓄積する。この画像データのフォーマット変換は、同時に各色１０本の走査線を走査する場合、ラスターイメージフォーマットのビットマップデータの画像データを並べ替え、１０ライン並列に読み出すことにより行う。そして、データバッファ２０４に１枚分のデジタル網点画像データを蓄積した後、以下のようにして、全色同時露光を行う。
【００４７】
この際、画素クロック生成部２０３が、ＰＬＬ２０２からの出力に同期させて画素クロックを生成する。そして、この画素クロックにてデータバッファ２０４からデジタル網点画像データを読み出して、これをＬＵＴ部２０５に送信する。
【００４８】
ＬＵＴ部２０５は、印刷の基準色となるＣ、Ｍ、Ｙ、Ｋ、特色１、特色２と、これらを感光材料上に露光する光源の光強度、即ち、Ｂ（ブルー）、Ｒ（レッド）、ＩＲ（赤外）光の強度組成との対応を規定するＬＵＴ（ルックアップテーブル）データを記憶している。そして、送られた露光用フォーマットのＣ、Ｍ、Ｙ、Ｋのデジタル網点画像データをＢ、Ｒ、ＩＲの露光強度データに変換する。その際、画素毎に、印刷物のＣ、Ｍ、Ｙ、Ｋの網点画像データをＢ、Ｒ、ＩＲのレーザ強度の組み合わせに変換する。
【００４９】
また、制御部１００のＣＰＵ１０１が、センサ類１０６からの感光材料の先端位置の情報、及び、図示省略のドラム位置を検出するロータリエンコーダからのパルス信号のカウントに基づいて、光学ユニットから射出されるレーザ光の照射位置に感光材料の画像記録領域が存在するか否かを判断する。そして、制御部１００は、この判断に基づき、レーザ光の照射位置に感光材料の画像記録領域が存在する期間は、ＬＵＴ部２０５に、レーザダイオードのレーザ光源３２０、３２１、３２２を駆動するドライバＤ３２０、３２１、３２２に入力される露光強度データが、常にレーザダイオードを発光させるに足りるようにＬＵＴデータの設定制御を行っている。これにより、レーザ光照射位置に感光材料の画像記録領域がある期間は、レーザ光源３２０、３２１、３２２のレーザダイオードは、常に発光し、良好な応答性になる。
【００５０】
このような制御の基、ドラムに保持される感光材料に対する網点画像及び色版ＩＤ情報の描画が行われる。その結果、出力される感光材料上、即ち、カラープルーフ上には、所定の画像と共に、制御装置１の色版ＩＤ情報設定部１１によって、色分解設定画面１Ｄにおいて設定された各色版の色版ＩＤ情報ＣＩが、図２０に示すように、例えば、当該カラープルーフＣＰの画像範囲Ｑ内、或いは、画像範囲Ｑ外に、例えば、色版毎に各々の色によって、或いは、特定の色によって描画される。
【００５１】
（画像出力システムの画像出力処理の流れ）
以上に説明した制御装置１及びＤＣＰ作成装置２により構成される当該画像出力システムの画像出力処理に関する概略の流れを、図２１に示すフローチャートを参照しつつ説明する。
【００５２】
操作者は、まず、制御装置１において事前準備、具体的には、コントロールアプリケーションの起動操作を行う（Ｓ１）。これにより、コントロールアプリケーションが起動し、制御装置１の表示部には、プリンタコントローラメイン画面１Ａが表示される（Ｓ１´）。操作者は、次に、このプリンタコントローラメイン画面１Ａにおいて、出力設定リスト表示部１Ａｂから所望の出力設定名称を選択することで、出力設定画面１Ｂを表示させて、この出力設定画面１Ｂにおいて、出力設定を行うフォルダや、その出力設定の具体的項目である画像データフォーマット・出力解像度・網点形式等の設定を行う（Ｓ２）。これにより、制御装置１の図示省略の保存部において、その設定内容が保存・記憶される（Ｓ２´）。操作者は、次に、この出力設定画面１Ｂの他画面表示部１Ｂｂにおいて、プリンタ設定項目を選択することで、プリンタ設定画面１Ｃを表示させて、このプリンタ設定画面１Ｃにおいて、出力プリンタの設定、出力するカートリッジの設定、校正データの設定等を行う（Ｓ３）。これにより、制御装置１の図示省略の保存部において、その設定内容が保存・記憶される（Ｓ３´）。操作者は、次に、出力設定画面１Ｂの他画面表示部１Ｂｂにおいて、色分解設定項目を選択することで、色分解設定画面１Ｄを表示させて、この色分解設定画面１Ｄにおいて、色版ＩＤ情報を出力する色版を選択し、さらに、これら色版の各々に対応して描画する色版ＩＤ情報を入力、或いは、選択する（Ｓ４）。これにより、制御装置１の色版ＩＤ情報保存部１２において、その設定内容が保存・記憶される（Ｓ４´）と共に、制御装置１は、画像データ編集端末３やＲＩＰ４から画像データが送信されるのを待つ待機状態へと移行する（Ｓ５´）。一方、上流端末である画像データ編集端末３やＲＩＰ４において、操作者は、出力する画像データの編集操作を行い（Ｓ１´´）、その画像データを制御装置１の所定フォルダへと送信して、これに保存する（Ｓ２´´）。制御装置１では、この所定フォルダへの前記画像データの送信を検知して（Ｓ６´）、出力設定画面１Ｂ及び色分解設定画面１Ｄにおける設定内容に従って、画像データを各色版別にラスター化処理して（Ｓ７´）、同時に、この各色版に対応する色版ＩＤ情報をラスター化処理して（Ｓ８´）、さらに、これらを合成することで合成ラスターデータを作成して（Ｓ９´）、これを前記プリンタ設定画面１Ｃにおける設定先、即ち、所定のＤＣＰ作成装置２に送信する（Ｓ１０´）。
【００５３】
これを受けたＤＣＰ作成装置２では、出力する感光材料上、即ち、カラープルーフ上に、所定の画像と共に前記色分解設定画面１Ｄにおいて設定された色版ＩＤ情報を描画して、その結果、図２０に示すように、色版ＩＤ情報ＣＩを、例えば、当該カラープルーフＣＰの画像範囲Ｑ内、或いは、画像範囲Ｑ外に、例えば、色版毎に各々の色によって、或いは、特定の色によって描画する。
【００５４】
次に、以上に説明した当該画像出力システムの画像出力処理の流れに関して、制御装置１における色版ＩＤ情報の設定からＤＣＰ作成装置２における画像出力処理までの部分に絞って、図２２に示すフローチャートを参照しつつ詳細に説明する。
【００５５】
上述のように、操作者は、制御装置１において事前準備、即ち、色版ＩＤ情報に関する設定を行う（ステップ１）。具体的には、色版ＩＤ情報設定部１１によって、色分解設定画面１Ｄにおいて、色版ＩＤ情報を出力する色版を選択し、さらに、これら色版の各々に対応して描画する色版ＩＤ情報を入力、或いは、選択して、その設定内容を色版ＩＤ情報保存部１２に保存する。これにより、制御装置１は、画像データ編集端末３やＲＩＰ４から画像データが送信されるのを待つ待機状態へと移行する。そして、上流端末、即ち、画像データ編集端末３やＲＩＰ４から制御装置１に画像データが送信されると、制御装置１の特色版要否判定部１０は、これを検知して、出力設定画面１Ｂ及び色分解設定画面１Ｄにおける設定内容に従って、その画像データ内に特色が含まれているか否かを判断して、特色が含まれている場合には、さらに、これをそのまま出力するか、Ｃ、Ｍ、Ｙ、Ｋに分解して出力するかを判断する（ステップ２）。さらに、その判断結果に基づいて、画像ラスター化部１３が画像データの解析を行い、さらに所定の加工処理、即ち、色版別のラスター化処理を行う（ステップ３）。この際、同時に、色版ＩＤ情報ラスター化部１４が、その画像データを構成する各色版に対応する色版ＩＤ情報を色版ＩＤ情報保存部１２から取得し、これをラスター化処理する（ステップ４）。さらに、ラスターデータ合成部１５がこれらを合成する処理、即ち、前記画像ラスターデータと前記色版ＩＤ情報ラスターデータとを合成する処理を行い（ステップ５）、ＤＣＰ作成装置制御部１６がその合成したラスターデータをプリンタ設定画面１Ｃにおける設定内容に従って、所定のＤＣＰ作成装置２へ送信する（ステップ６）。ＤＣＰ作成装置２では、この合成ラスターデータを受信し（ステップ７）、これを所定のデータに変換、即ち、各色の露光強度データに変換した後（ステップ８）、前記画像データに基づく所定の画像、及び、前記色版ＩＤ情報に基づく所定の文字情報を感光材料上、即ち、カラープルーフ上に描画し、これを出力する（ステップ９）。
【００５６】
その結果、ＤＣＰ作成装置２から出力される感光材料上、即ち、カラープルーフ上には、所定の画像と共に前記色分解設定画面１Ｄにおいて設定された色版ＩＤ情報ＣＩが、図２０に示すように、例えば、当該カラープルーフＣＰの画像範囲Ｑ内、或いは、画像範囲Ｑ外に、例えば、色版毎に各々の色によって、或いは、特定の色によって描画される。
【００５７】
以上に説明したように、本実施形態における画像出力システム及びその画像出力方法によれば、ＤＣＰ作成装置２から出力される出力物上、即ち、カラープルーフ上に、所定の画像と共にその画像を構成する各色版に対応する色版ＩＤ情報が描画されるので、操作者は、ＤＣＰ作成装置２から出力されるカラープルーフが、特色を用いて出力されたものか、特色をＣＭＹＫに分解して出力されたものかを容易に判断することができる。
【００５８】
［画像出力装置の構成］
次に、本発明に係る画像出力装置の一実施形態における構成及び概略動作について説明する。尚、本実施形態における画像出力装置は、前述した画像出力システムの制御装置１における機能、即ち、色版ＩＤ情報の設定機能が当該装置自体に備えられるものである。即ち、当該画像出力装置の構成としては、例えば、前記制御装置１における機能全体、即ち、出力設定機能、プリンタ設定機能及び色版ＩＤ情報設定機能を当該装置に組み込んだ構成や、前記制御装置１の色版ＩＤ情報設定機能のみを当該装置に組み込んだ構成等が考えられる。
【００５９】
しかしながら、当該画像出力装置における色版ＩＤ情報の設定に関して、また、その際、当該画像出力装置の表示部に表示される設定画面の表示内容等に関して、さらには、当該画像出力装置の画像出力処理の流れに関しては、何れも前述した画像出力システムにおける内容と同様であるため、当該画像出力装置を説明するにあたり、その構成に関する部分のみ説明することとする。
【００６０】
以下、当該画像出力装置に前記制御装置１の機能全体が組み込まれる場合を例に採り、説明を続ける。
【００６１】
（画像出力装置を含む画像出力システムの構成）
図２３に示すように、当該画像出力装置、即ち、ＤＣＰ作成装置２は、上流端末、即ち、画像データ編集端末３やＲＩＰ（Ｒａｓｔｅｒ・Ｉｍａｇｅ・Ｐｒｏｃｅｓｓｏｒ）４から送信された画像データに所定の加工処理を行った後、これを出力するものである。尚、画像データ編集端末３は、コンピュータターミナル（端末装置）として動作するものであって、画像データ編集端末３は、コンピュータ本体、キーボード、表示部、イメージスキャナ等の必要な画像入力機器を備えている。さらに、画像データ編集端末３やＲＩＰ４と当該ＤＣＰ作成装置２とはネットワークＮを介して接続されている。
【００６２】
（概略動作）
このような構成において、当該ＤＣＰ作成装置２は、画像データ編集端末３やＲＩＰ４から送信された画像データを、その種別に応じて予め設定された出力条件に従って解析加工した後、これを出力する。因みに、画像データの種別とは、画像データのファイル形式に関するものであって、具体的には、ＰＳ、ＰＤＦ、ＥＰＳ等の種別と、ＴＩＦＦ、ＴＩＦＦ／ＩＴ、ＪＰＥＧ等の種別とに大別される。
【００６３】
次に、当該ＤＣＰ作成装置２の詳細な構成及び動作について説明する。
【００６４】
（ＤＣＰ作成装置の詳細構成及び詳細動作）
図１８に準用して示すように、ＤＣＰ作成装置２は、主に、感光材料上に画像を露光するための露光部３３と、露光された感光材料を現像処理するための処理部３４とから構成されている。
【００６５】
露光部３３は、外部に開閉可能な上面パネル３５及び前面パネル３６を有し、当該露光部３３のメンテナンスは、これらのパネルを開いて行う。また、ロールセット部３７は、ロール状に巻回された感光材料を収容したカートリッジを装填する部分であり、装置本体の上部に設けられている。尚、カートリッジの装填は、給紙カバー３９を開閉して行う。因みに、本実施形態のロールセット部３７は、単数であるが、複数設けられても良い。また、ロール状に巻回された感光材料を直接セットできるものであっても良い。尚、カートリッジに収容される感光材料は、通常、感光面を外側にして巻回される。従って、ロール状に巻回された感光材料を直接セットする場合であっても、感光材料の感光面を外側にして巻回されるものを用いることが好ましい。
【００６６】
装置本体の外面、具体的には、ロールセット部３７の手前側には、タッチパネル４２と液晶パネル４１から成る操作部が設けられている。タッチパネル４２は、液晶パネル４１の上面に重ねて設けられている。液晶パネル４１は、特色版を含めた各色版に対応する色版ＩＤ情報の設定を行う際の各種設定画面（プリンタコントローラメイン画面１Ａ、出力設定画面１Ｂ、プリンタ設定画面１Ｃ、色分解設定画面１Ｄ）等を表示する手段となっており、さらに、後述する制御部１００の制御により、操作者に入力を求める入力指示情報や装置の状態を示す装置状態情報等を表示する手段ともなっている。一方、タッチパネル４２は、操作者が各種情報を入力する入力手段であり、後述する色版ＩＤ情報設定部１１として、特色版を含めた各色版に対応する色版ＩＤ情報の設定を行う手段ともなっている。即ち、当該ＤＣＰ作成装置２においては、操作者は、タッチパネル４２によって、液晶パネル４１に表示される各種設定画面に応じて色版ＩＤ情報の設定、若しくは、各種情報の入力操作を行うことになる。タッチパネル４２からの入力に応じた各種情報は、後述する色版ＩＤ情報保存部１２やＲＡＭ１０２に記憶される。尚、操作部の構成は、これに限られず、例えば、ＬＥＤ等から成る表示手段と入力キー等から成る入力手段により構成しても良い。
【００６７】
当該ＤＣＰ作成装置２の操作部において色版ＩＤ情報の設定が終了すると、当該ＤＣＰ作成装置２は、画像データ編集端末３やＲＩＰ４から画像データが送信されるのを待つ待機状態へと移行する。
【００６８】
処理部３４は、外面に開閉可能な上面パネル４３及び補給パネル４４を有し、通常のメンテナンスは上面パネル４３を開いて行い、処理液の補充等は、補給パネル４４を開いて行う。また、排紙部４５は、現像処理が終了した感光材料をストックする部分である。
【００６９】
図２４及び図２５に、当該ＤＣＰ作成装置２の制御構成を示す。当該ＤＣＰ作成装置２は、図２４に示すように、前述した画像出力システムにおける制御装置１の機能を構成する第一の制御構成部と、図２５に示すように、従来のＤＣＰ作成装置２としての機能を構成する第二の制御構成部とから構成されている。尚、これらは、図２４におけるラスターデータ合成部１５と、図２５における画像データ変換部２１０において連続に構成され、ラスターデータ合成部１５において合成されたラスターデータは、そのまま画像データ変換部２１０に送信されるようになっている。
【００７０】
図２４に示すように、第一の制御構成部は、画像データ編集端末３やＲＩＰ４から送信された画像データが特色版を要するものか否か、即ち、その画像データが特色を用いて出力するものか、或いは、特色をＣＭＹＫに分解して出力するものかを判定する特色版要否判定部１０と、特色版を含めた各色版に対応する色版ＩＤ情報の設定を行う色版ＩＤ情報設定部１１と、この色版ＩＤ情報設定部１１にて設定された各色版に対応する固有のＩＤ情報を保存する色版ＩＤ情報保存部１２と、画像データ編集端末３やＲＩＰ４から送信された画像データを前記特色版要否判断部１０の判定内容に従って解析加工し、色版別の画像ラスターデータを作成する画像ラスター化部１３と、この画像ラスター化部１３において作成される色版別の画像ラスターデータの各々に対応するＩＤ情報を前記色版ＩＤ情報保存部１２から取得し、これをラスター化処理する色版ＩＤ情報ラスター化部１４と、前記画像ラスター化部１３による画像ラスターデータとこの色版ＩＤ情報ラスター化部１４による色版ＩＤ情報ラスターデータとを合成するラスターデータ合成部１５とから構成されている。
【００７１】
このような構成において、当該ＤＣＰ作成装置２の操作部にて色版ＩＤ情報の設定が成された上で、画像データ編集端末３やＲＩＰ４から画像データが送信されると、当該制御装置１の特色版要否判断部１０は、前述した色版ＩＤ情報の設定における出力設定画面１Ｂ及び色分解設定画面１Ｄにおける設定内容（画像出力システムの該当部分を参照のこと）に従って、その画像データ内に特色が含まれているか否かを判断して、特色が含まれている場合には、さらに、これをそのまま出力するか、Ｃ、Ｍ、Ｙ、Ｋに分解して出力するかを判断して、次に、その判断結果に基づいて、画像ラスター化部１３が画像データを解析加工し、色版別の画像ラスターデータを作成して、同時に、色版ＩＤ情報ラスター化部１４がこの画像ラスター化部１３において作成される色版別の画像ラスターデータの各々に対応するＩＤ情報を前記色版ＩＤ情報保存部１２から取得し、これをラスター化処理して、色版ＩＤ情報ラスターデータを作成して、次に、ラスターデータ合成部１５が、前記画像ラスター化部１３による画像ラスターデータとこの色版ＩＤ情報ラスター化部１４による色版ＩＤ情報ラスターデータとを合成して合成ラスターデータ（画像ラスターデータ及び色版ＩＤ情報ラスターデータを合成したもの）を作成して、次に、ＤＣＰ作成装置制御部１６が、これを後述する第二の制御構成部の画像データ変換部２１０へ送信する。
【００７２】
図２５に示すように、第二の制御構成部は、当該ＤＣＰ作成装置２の全体制御を行う制御部１００を有し、この制御部１００は、ＣＰＵ１０１、ＲＡＭ１０２及びＲＯＭ１０３とから構成されている。当該制御部１００は、Ｉ／Ｏポート１０４、１０５を介して、検出系を構成するセンサ類１０６及び駆動系を構成するアクチュエータ群１０７とに接続され、センサ類１０６からの情報に基づいてアクチュエータ群１０７を制御するように構成されている。
【００７３】
また、操作部については、液晶パネル４１をドライバＤ２０により制御し、これに色版ＩＤ情報の設定に関する表示画面、及び、当該ＤＣＰ作成装置の２の運転状態等を表示する。また、タッチパネル４２からの入力に応じた情報は、Ａ／Ｄ変換部１２０によりデジタル情報としてＣＰＵ１０１に送信される。
【００７４】
さらに、第二の制御構成部は、第一の制御構成部のラスターデータ合成部１５から送信される合成ラスターデータ、即ち、各色（Ｃ、Ｍ、Ｙ、Ｋ、特色１、特色２）に対応する色版ＩＤ情報を含んだラスターイメージフォーマットの網点画像データを受信する画像データ変換部２１０を備えている。画像データ変換部２１０は、前記第一の制御構成部のラスターデータ合成部１５からの各色（Ｃ、Ｍ、Ｙ、Ｋ、特色１、特色２）のラスターイメージフォーマットの網点画像データを、各色１０本の走査線毎（各色１０のチャンネル毎）の露光用フォーマットに変換し、データバッファ２０４に蓄積する。この画像データのフォーマット変換は、同時に各色１０本の走査線を走査する場合、ラスターイメージフォーマットのビットマップデータの画像データを並べ替え、１０ライン並列に読み出すことにより行う。そして、データバッファ２０４に１枚分のデジタル網点画像データを蓄積した後、以下のようにして、全色同時露光を行う。
【００７５】
この際、画素クロック生成部２０３が、ＰＬＬ２０２からの出力に同期させて画素クロックを生成する。そして、この画素クロックにてデータバッファ２０４からデジタル網点画像データを読み出して、これをＬＵＴ部２０５に送信する。
【００７６】
ＬＵＴ部２０５は、印刷の基準色となるＣ、Ｍ、Ｙ、Ｋ、特色１、特色２と、これらを感光材料上に露光する光源の光強度、即ち、Ｂ（ブルー）、Ｒ（レッド）、ＩＲ（赤外）光の強度組成との対応を規定するＬＵＴ（ルックアップテーブル）データを記憶している。そして、送られた露光用フォーマットのＣ、Ｍ、Ｙ、Ｋのデジタル網点画像データをＢ、Ｒ、ＩＲの露光強度データに変換する。その際、画素毎に、印刷物のＣ、Ｍ、Ｙ、Ｋの網点画像データをＢ、Ｒ、ＩＲのレーザ強度の組み合わせに変換する。
【００７７】
また、制御部１００のＣＰＵ１０１が、センサ類１０６からの感光材料の先端位置の情報、及び、図示省略のドラム位置を検出するロータリエンコーダからのパルス信号のカウントに基づいて、光学ユニットから射出されるレーザ光の照射位置に感光材料の画像記録領域が存在するか否かを判断する。そして、制御部１００は、この判断に基づき、レーザ光の照射位置に感光材料の画像記録領域が存在する期間は、ＬＵＴ部２０５に、レーザダイオードのレーザ光源３２０、３２１、３２２を駆動するドライバＤ３２０、３２１、３２２に入力される露光強度データが、常にレーザダイオードを発光させるに足りるようにＬＵＴデータの設定制御を行っている。これにより、レーザ光照射位置に感光材料の画像記録領域がある期間は、レーザ光源３２０、３２１、３２２のレーザダイオードは、常に発光し、良好な応答性になる。
【００７８】
このようにして、ドラムに保持される感光材料に対する網点画像の画像出力が行われる。その結果、出力される感光材料上、即ち、カラープルーフ上には、所定の画像と共に、図２０に準用して示すような色版ＩＤ情報ＣＩが、例えば、当該カラープルーフＣＰの画像範囲Ｑ内、或いは、画像範囲Ｑ外に、例えば、色版毎に各々の色によって、或いは、特定の色によって描画されることになる。
【００７９】
以上に説明したように、本実施形態における画像出力装置及びその画像出力方法によれば、当該ＤＣＰ作成装置２から出力される出力物上、即ち、カラープルーフ上に、所定の画像と共にその画像を構成する各色版に対応する色版ＩＤ情報が描画されるので、操作者は、当該ＤＣＰ作成装置２から出力されるカラープルーフが、特色を用いて出力されたものか、特色をＣＭＹＫに分解して出力されたものかを容易に判断することができる。
【００８０】
尚、本実施形態における画像出力装置について説明するにあたり、当該ＤＣＰ作成装置２の色版ＩＤ情報の設定に関して、また、その際、当該ＤＣＰ作成装置２の液晶パネル４１に表示される設定画面の表示内容に関して、さらには、当該ＤＣＰ作成装置２の画像出力処理の流れに関して、その説明を省略することとしたが、これらの詳細な内容に関しては、前述した画像出力システムにおける内容と同様であり、具体的には、図３に示す画面構成図、図２１及び図２２に示すフローチャート等の内容を準用するものとなっている。
【００８１】
【発明の効果】
以上に説明したように、本発明に係る画像出力システム及びその画像出力方法によれば、操作者が制御装置において事前準備、即ち、色版ＩＤ情報に関する設定操作を行うことのみで、上流端末、即ち、画像データ編集端末やＲＩＰ（Ｒａｓｔｅｒ・Ｉｍａｇｅ・Ｐｒｏｃｅｓｓｏｒ）から制御装置に画像データが送信された場合に、制御装置が、画像データに所定の加工処理を行い、さらに、この画像データに当該画像データを構成する各色版に対応する色版ＩＤ情報を付加する処理を行い、これをＤＣＰ作成装置に送信して、これを受けたＤＣＰ作成装置が、前記画像データ及び前記色版ＩＤ情報を感光材料上、即ち、カラープルーフ上に描画するので、操作者は、このＤＣＰ作成装置から出力される出力物、即ち、カラープルーフが、特色を用いて出力したものか、特色をＣＭＹＫに分解して出力したものかを容易に判断することができる。
【００８２】
以上に説明したように、本発明に係る画像出力装置及びその画像出力方法によれば、操作者が当該画像出力装置において事前準備、即ち、色版ＩＤ情報に関する設定操作を行うことのみで、上流端末、即ち、画像データ編集端末やＲＩＰ（Ｒａｓｔｅｒ・Ｉｍａｇｅ・Ｐｒｏｃｅｓｓｏｒ）から画像データが送信された場合に、当該画像出力装置が、画像データに所定の加工処理を行い、同時に、この画像データに当該画像データを構成する各色版に対応する色版ＩＤ情報を付加する処理を行い、さらに、前記画像データ及び前記色版ＩＤ情報を感光材料上、即ち、カラープルーフ上に描画する処理を行うので、操作者は、当該ＤＣＰ作成装置から出力される出力物、即ち、カラープルーフが、特色を用いて出力したものか、特色をＣＭＹＫに分解して出力したものかを容易に判断することができる。
【図面の簡単な説明】
【図１】本発明に係る画像出力システムの一実施形態におけるシステム構成を表す構成図である。
【図２】図１に示す画像出力システムの制御装置の詳細構成を表すブロック図である。
【図３】図１に示す画像出力システムの制御装置における色版ＩＤ情報の設定操作の流れを説明する画面表示構成図である。
【図４】図３に示す画像表示構成図における色分解設定画面の画面構成を表す図である。
【図５】図４に示す色分解設定画面の画面構成の他例を表す図である。
【図６】図４に示す色分解設定画面の画面構成の他例を表す図である。
【図７】図４に示す色分解設定画面の画面構成の他例を表す図である。
【図８】図４に示す色分解設定画面の画面構成の他例を表す図である。
【図９】図４に示す色分解設定画面の画面構成の他例を表す図である。
【図１０】図４に示す色分解設定画面の画面構成の他例を表す図である。
【図１１】図４に示す色分解設定画面の画面構成の他例を表す図である。
【図１２】図４に示す色分解設定画面の画面構成の他例を表す図である。
【図１３】図１に示す画像出力システムの画像データ編集端末から制御装置へ送信される画像データ内に色版名称に関する情報が含まれている場合の制御装置の処理に関して説明するための説明図である。
【図１４】図４に示す色分解設定画面の画面構成の他例を表す図である。
【図１５】図４に示す色分解設定画面の画面構成の他例を表す図である。
【図１６】図４に示す色分解設定画面の画面構成の他例を表す図である。
【図１７】図４に示す色分解設定画面の画面構成の他例を表す図である。
【図１８】図１に示す画像出力システムのＤＣＰ作成装置の構成を表す外観斜視図である。
【図１９】図１８に示すＤＣＰ作成装置の制御構成を表すブロック図である。
【図２０】図１に示す画像出力システムのＤＣＰ作成装置から出力されるカラープルーフに色版ＩＤ情報が描画された状態を表す図である。
【図２１】図１に示す画像出力システムの制御装置と上流端末との画像出力処理の流れを説明するためのフローチャートである。
【図２２】図１に示す画像出力システムの制御装置及びＤＣＰ作成装置間の画像出力処理の流れを説明するためのフローチャートである。
【図２３】本発明に係る画像出力装置を含み構成される画像出力システムの一構成を表す構成図である。
【図２４】図２３に示す画像出力装置の第一の制御構成部における制御構成を表すブロック図である。
【図２５】図２３に示す画像出力装置の第二の制御構成部における制御構成を表すブロック図である。
【符号の説明】
１…制御装置
１０…特色版要否判定部
１１…色版ＩＤ情報設定部
１２…色版ＩＤ情報保存部
１３…画像ラスター化部
１４…色版ＩＤ情報ラスター化部
１５…ラスターデータ合成部
１６…ＤＣＰ作成装置制御部
２…ＤＣＰ作成装置
３３…露光部
３４…処理部
３５…上面パネル
３６…前面パネル
３７…ロールセット部
３９…給紙カバー
４１…液晶パネル
４２…タッチパネル
４３…上面パネル
４４…補給パネル
４５…排紙部
１００…制御部
１０１…ＣＰＵ
１０２…ＲＡＭ
１０３…ＲＯＭ
１０４、１０５…Ｉ／Ｏポート
１０６…センサ類
１０７…アクチュエータ群
１２０…Ａ／Ｄ変換部
２０１…画像データＩ／Ｆ部
２０２…ＰＬＬ
２０３…画素クロック生成部
２０４…データバッファ
２０５…ＬＵＴ部
２０６〜２０８…Ｄ／Ａ変換部
２１０…画像データ変換部
３２０〜３２２…ＬＥＤ
Ｄ２０、Ｄ３２０〜Ｄ３２２…ドライバ
３…画像データ編集端末
４…ＲＩＰ
Ｎ…ネットワーク
１Ａ…プリンタコントローラメイン画面
１Ａａ…ジョブステータス表示部
１Ａｂ…出力設定リスト表示部
１Ｂ…出力設定画面
１Ｂａ…出力設定項目表示部
１Ｂｂ…他画面表示部
１Ｃ…プリンタ設定画面
１Ｄ…色分解設定画面
１Ｄａ…色版選択部
１Ｄｂ…色版ＩＤ情報入力部
１Ｄｃ…表示内容確定／取消し部
ＣＩ…色版ＩＤ情報
ＣＰ…カラープルーフ
Ｑ…画像範囲
【図１】
2004005033.tif 000003
【図２】
2004005033.tif 000004
【図３】
2004005033.tif 000005
【図４】
2004005033.tif 000006
【図５】
2004005033.tif 000007
【図６】
2004005033.tif 000008
【図７】
2004005033.tif 000009
【図８】
2004005033.tif 000010
【図９】
2004005033.tif 000011
【図１０】
2004005033.tif 000012
【図１１】
2004005033.tif 000013
【図１２】
2004005033.tif 000014
【図１３】
2004005033.tif 000015
【図１４】
2004005033.tif 000016
【図１５】
2004005033.tif 000017
【図１６】
2004005033.tif 000018
【図１７】
2004005033.tif 000019
【図１８】
2004005033.tif 000020
【図１９】
2004005033.tif 000021
【図２０】
2004005033.tif 000022
【図２１】
2004005033.tif 000023
【図２２】
2004005033.tif 000024
【図２３】
2004005033.tif 000025
【図２４】
2004005033.tif 000026
【図２５】
2004005033.tif 000027